(57)【要約】【課題】エアフィルタに付着した塵埃を除去する機能を有する空気調和装置の室内ユニットにおいて、エアフィルタから除去した塵埃を貯留空間へ確実に導くことができるようにする。【解決手段】塵埃貯留容器（60）は、回転ブラシ（51）を収容する収容空間（59）と、回転ブラシ（51）の鉛直方向に対して斜め下方位置で収容空間（59）に連通して回転ブラシ（51）で除去された塵埃を貯留する貯留空間（58）とを有している。清掃用ブラシ（52）は、収容空間（59）における、回転ブラシ（51）を挟んで貯留空間（58）とは反対側に配置されている。【選択図】図８
2011043293.tif 000002
【特許請求の範囲】
【請求項１】
室内ファン（21）と、該室内ファン（21）に吸い込まれる空気中の塵埃を捕捉するエアフィルタ（30）と、該エアフィルタ（30）に付着した塵埃を除去するためのブラシ部（51b）を有する回転ブラシ（51）と、該回転ブラシ（51）によって該エアフィルタ（30）から除去された塵埃を貯留する塵埃貯留容器（60）とを備えた空気調和装置の室内ユニットであって、
前記回転ブラシ（51）が回転したときに前記ブラシ部（51b）に接触して、該ブラシ部（51b）表面に付着した塵埃を除去する清掃用ブラシ（52）を備え、
前記塵埃貯留容器（60）は、前記回転ブラシ（51）を収容する収容空間（59）と、該回転ブラシ（51）の鉛直方向に対して斜め下方位置で該収容空間（59）に連通して該回転ブラシ（51）で除去された塵埃を貯留する貯留空間（58）とを有し、
前記清掃用ブラシ（52）は、前記収容空間（59）における、前記回転ブラシ（51）を挟んで前記貯留空間（58）とは反対側に配置されていることを特徴とする空気調和装置の室内ユニット。
【請求項２】
請求項１において、
前記回転ブラシ（51）は、前記ブラシ部（51b）に付着した塵埃を前記清掃用ブラシ（52）によって除去するために、その回転方向に該ブラシ部（51b）を往復させるブラシ清掃動作を行うように構成されていることを特徴とする空気調和装置の室内ユニット。
【発明の詳細な説明】
【技術分野】
【０００１】
本発明は、エアフィルタに付着した塵埃を除去する機能を有する空気調和装置の室内ユニットに関するものである。
【背景技術】
【０００２】
従来より、エアフィルタに付着した塵埃を除去する機能（いわゆる、お掃除機能）を有する空気調和装置の室内ユニットが知られている。例えば、特許文献１には、この種の空気調和装置の室内ユニットが記載されている。
【０００３】
具体的に、特許文献１の図１０には、吸込フィルタから塵埃を除去するための回転ブラシと、回転ブラシによって吸込フィルタから除去した塵埃を溜めるための塵埃貯留容器とが記載されている。塵埃貯留容器の上面部分には、回転ブラシが配置される捕集用開口が形成されている。塵埃貯留容器の内側には、回転ブラシのブラシ部から塵埃を掻き落とすための清掃用ブラシが設けられている。
【先行技術文献】
【特許文献】
【０００４】
【特許文献１】特開２００８−２１５６４４号公報
【発明の概要】
【発明が解決しようとする課題】
【０００５】
ところで、エアフィルタに付着した塵埃を除去するのに回転ブラシを使用する場合には、塵埃貯留容器内に貯まった塵埃によって回転ブラシの動きが妨げられないように、回転ブラシを収容する上側部分に対して、塵埃を貯める塵埃貯留容器の下側部分を側方へ膨出させることが考えられる。つまり、塵埃を貯める空間を回転ブラシの真下に形成するのではなく、塵埃を貯める空間を回転ブラシに対して水平方向へずらすことで、回転ブラシの周囲に塵埃が貯まることを抑制することが可能である。
【０００６】
そして、そのように塵埃貯留容器を構成する場合には、回転ブラシに接触して回転ブラシに付着した塵埃を除去する清掃用ブラシを、塵埃を貯める空間に近い側、つまり塵埃貯留容器の下側部分が膨出する膨出側に設けることが考えられる。しかし、そのようにすると、むしろ、膨出側とは反対側へ塵埃が貯まってしまう。その点について、以下に説明する。
【０００７】
ここで、清掃用ブラシを設ける場合は、回転ブラシが、ブラシ部が開口部から塵埃貯留容器の外側に露出する状態と、ブラシ部が清掃用ブラシに接触する状態とを切り換えるために、回転軸の周りの両方向に回転駆動される。この回転ブラシでは、エアフィルタから除去した塵埃が帯状に連なる場合がある。この帯状の塵埃は、回転ブラシが回転軸の周りの両方向に回転駆動される間に、回転ブラシ側へ曲がった形状となる。このため、帯状の塵埃は、塵埃貯留容器の内面に到達したときに、膨出側とは反対側の空間へ導かれてしまう。例えば、帯状の塵埃が回転ブラシから外れた場合、そのまま膨出側とは反対側の空間に残ってしまうおそれがある。また、例えば、塵埃貯留容器内における膨出部の内側へ空気を送って、塵埃を塵埃貯留容器外へ搬送する場合には、膨出側とは反対側の空間に残った帯状の塵埃を空気の流れによって搬送できないことが有り得る。
【０００８】
本発明は、かかる点に鑑みてなされたものであり、その目的は、エアフィルタに付着した塵埃を除去する機能を有する空気調和装置の室内ユニットにおいて、エアフィルタから除去した塵埃を貯留空間側へ確実に導くことができるようにすることにある。
【課題を解決するための手段】
【０００９】
上述した課題を解決するために、本発明では、清掃用ブラシの配置を工夫することで、帯状の塵埃が貯留空間へ向かって確実に導かれるようにした。
【００１０】
具体的に、本発明は、室内ファン（21）と、該室内ファン（21）に吸い込まれる空気中の塵埃を捕捉するエアフィルタ（30）と、該エアフィルタ（30）に付着した塵埃を除去するためのブラシ部（51b）を有する回転ブラシ（51）と、該回転ブラシ（51）によって該エアフィルタ（30）から除去された塵埃を貯留する塵埃貯留容器（60）とを備えた空気調和装置の室内ユニットを対象とし、次のような解決手段を講じた。
【００１１】
すなわち、第１の発明は、前記回転ブラシ（51）が回転したときに前記ブラシ部（51b）に接触して、該ブラシ部（51b）表面に付着した塵埃を除去する清掃用ブラシ（52）を備え、
前記塵埃貯留容器（60）は、前記回転ブラシ（51）を収容する収容空間（59）と、該回転ブラシ（51）の鉛直方向に対して斜め下方位置で該収容空間（59）に連通して該回転ブラシ（51）で除去された塵埃を貯留する貯留空間（58）とを有し、
前記清掃用ブラシ（52）は、前記収容空間（59）における、前記回転ブラシ（51）を挟んで前記貯留空間（58）とは反対側に配置されていることを特徴とするものである。
【００１２】
第１の発明では、回転ブラシ（51）が回転したときに、清掃用ブラシ（52）がブラシ部（51b）に接触する。これにより、ブラシ部（51b）表面に付着した塵埃が除去される。塵埃貯留容器（60）は、回転ブラシ（51）を収容する収容空間（59）と、回転ブラシ（51）で除去された塵埃を貯留する貯留空間（58）とを有している。貯留空間（58）は、回転ブラシ（51）の鉛直方向に対して斜め下方位置で収容空間（59）に連通している。清掃用ブラシ（52）は、収容空間（59）における回転ブラシ（51）を挟んで貯留空間（58）とは反対側に配置される。
【００１３】
このような構成とすれば、エアフィルタ（30）から除去した塵埃が帯状に連なった場合でも、この帯状の塵埃を貯留空間（58）側へ確実に導くことができる。具体的に、清掃用ブラシ（52）を貯留空間（58）に近い側に配置した場合には、回転ブラシ（51）が回転軸の周りの両方向に回転駆動される間に、帯状の塵埃が回転ブラシ（51）側へ曲がった形状となる。このため、帯状の塵埃は、収容空間（59）の内面に到達したときに、貯留空間（58）とは反対側の空間へ導かれてしまう。そして、帯状の塵埃が回転ブラシ（51）から外れた場合、そのまま貯留空間（58）とは反対側の空間に残ってしまうおそれがある。
【００１４】
これに対し、本発明では、回転ブラシ（51）を挟んで貯留空間（58）とは反対側に清掃用ブラシ（52）を配置するようにしたから、帯状の塵埃が回転ブラシ（51）側へ曲がった形状となって収容空間（59）の内面に到達したときには、帯状の塵埃の先端部が貯留空間（58）側に向くようになる。これにより、帯状の塵埃が回転ブラシ（51）から外れたときに、塵埃を確実に貯留空間（58）側へ導くことができ、塵埃が収容空間（59）内に残ってしまうことを防止できる。
【００１５】
第２の発明は、第１の発明において、
前記回転ブラシ（51）は、前記ブラシ部（51b）に付着した塵埃を前記清掃用ブラシ（52）によって除去するために、その回転方向に該ブラシ部（51b）を往復させるブラシ清掃動作を行うように構成されていることを特徴とするものである。
【００１６】
第２の発明では、回転ブラシ（51）により、その回転方向にブラシ部（51b）を往復させるブラシ清掃動作が行われる。これにより、ブラシ部（51b）に付着した塵埃が清掃用ブラシ（52）によって除去される。
【００１７】
このような構成とすれば、ブラシ清掃動作を行って、回転ブラシ（51）をその回転方向にブラシ部（51b）を往復させることで、清掃用ブラシ（52）によってブラシ部（51b）に付着した塵埃を確実に除去することができる。
【発明の効果】
【００１８】
本発明によれば、回転ブラシ（51）を挟んで貯留空間（58）とは反対側に清掃用ブラシ（52）を配置するようにしたから、帯状の塵埃が回転ブラシ（51）側へ曲がった形状となって収容空間（59）の内面に到達したときには、帯状の塵埃の先端部が貯留空間（58）側に向くようになる。これにより、帯状の塵埃が回転ブラシ（51）から外れたときに、塵埃を確実に貯留空間（58）側へ導くことができ、塵埃が収容空間（59）内に残ってしまうことを防止できる。
【図面の簡単な説明】
【００１９】
【図１】本発明の実施形態に係る室内ユニットを備えた空気調和装置の構成を示す配管系統図である。
【図２】室内ユニット内の構成を示す縦断面図である。
【図３】化粧パネルを室内側から見た斜視図である。
【図４】図２におけるＸ−Ｘ線断面図である。
【図５】仕切板の通気孔、エアフィルタ及び塵埃貯留容器の構成を示す斜視図である。
【図６】塵埃除去機構及び塵埃貯留容器を上方から見た斜視図である。
【図７】塵埃貯留容器を下方から見た斜視図である。
【図８】図６におけるＹ−Ｙ線断面図である。
【図９】導入用ダクトの拡大断面図である。
【図１０】塵埃搬送機構のダンパの動作を示す断面図である。
【図１１】エアフィルタと塵埃除去機構との関係を概略的に示す図であり、（ａ）は通常運転時の状態を、（ｂ）及び（ｃ）はフィルタ清掃運転時の状態をそれぞれ示す。
【図１２】図６におけるＺ−Ｚ線断面において、塵埃除去動作時の塵埃除去機構の動作を示す図である。
【図１３】ブラシ清掃動作時の塵埃除去機構の動作を示す図である。
【発明を実施するための形態】
【００２０】
以下、本発明の実施形態を図面に基づいて詳細に説明する。なお、以下の好ましい実施形態の説明は、本質的に例示に過ぎず、本発明、その適用物或いはその用途を制限することを意図するものではない。
【００２１】
本実施形態は、本発明に係る室内ユニット（3）を備えた空気調和装置（1）に関する。この空気調和装置（1）では、室内ユニット（3）が室内空間の天井に設置される。なお、以下では、まず本実施形態に係る空気調和装置（1）の構成について説明し、次に室内ユニット（3）の構成について説明する。
【００２２】
〈全体構成〉
図１に示すように、前記空気調和装置（1）は、室外ユニット（2）と室内ユニット（3）とを備えている。室外ユニット（2）には、圧縮機（4）、室外熱交換器（5）、膨張弁（6）、四路切換弁（7）及び室外ファン（8）が設けられている。室内ユニット（3）には、室内熱交換器（22）及び室内ファン（21）が設けられている。
【００２３】
前記室外ユニット（2）において、圧縮機（4）の吐出側は、四路切換弁（7）の第１ポート（P1）に接続されている。圧縮機（4）の吸入側は、四路切換弁（7）の第３ポート（P3）に接続されている。
【００２４】
前記室外熱交換器（5）は、クロスフィン式のフィン・アンド・チューブ型熱交換器として構成されている。室外熱交換器（5）の一端は、四路切換弁（7）の第４ポート（P4）に接続されている。室外熱交換器（5）の他端は、液側閉鎖弁（9a）に接続されている。
【００２５】
前記室外ファン（8）は、室外熱交換器（5）の近傍に設けられている。この室外熱交換器（5）では、室外ファン（8）によって送られる室外空気と室外熱交換器（5）の伝熱管を流通する冷媒との間で熱交換が行われる。室外熱交換器（5）と液側閉鎖弁（9a）との間には、開度可変の膨張弁（6）が設けられている。また、四路切換弁（7）の第２ポート（P2）はガス側閉鎖弁（9b）に接続されている。
【００２６】
前記四路切換弁（7）は、第１ポート（P1）と第２ポート（P2）とが互いに連通し且つ第３ポート（P3）と第４ポート（P4）とが互いに連通する第１状態（図１に実線で示す状態）と、第１ポート（P1）と第４ポート（P4）とが互いに連通し且つ第２ポート（P2）と第３ポート（P3）とが互いに連通する第２状態（図１に破線で示す状態）とが切り換え可能になっている。
【００２７】
前記空気調和装置（1）では、四路切換弁（7）が第１状態の場合に暖房運転が行われ、四路切換弁（7）が第２状態の場合に冷房運転が行われる。暖房運転では、図１に示す冷媒回路において、室外熱交換器（5）が蒸発器として機能し且つ室内熱交換器（22）が凝縮器として機能する蒸気圧縮式冷凍サイクルが行われる。一方、冷房運転では、図１に示す冷媒回路において、室外熱交換器（5）が凝縮器として機能し且つ室内熱交換器（22）が蒸発器として機能する蒸気圧縮式冷凍サイクルが行われる。
【００２８】
〈室内ユニットの構成〉
前記室内ユニット（3）の構成を図２及び図３に基づいて詳しく説明する。図２に示すように、室内ユニット（3）は、室内ファン（21）及び室内熱交換器（22）を備えた本体ユニット（10）と、本体ユニット（10）の室内側（下側）に配置された掃除ユニット（100）と、掃除ユニット（100）の室内側（下側）を覆う化粧パネル（11）とを備えている。すなわち、室内ユニット（3）は、上から順に、本体ユニット（10）、掃除ユニット（100）及び化粧パネル（11）が積層されてなる。
【００２９】
前記本体ユニット（10）は、室内に向かって開口するように設置される箱状の本体ケーシング（18）を備えている。この本体ケーシング（18）内には、室内ファン（21）、室内熱交換器（22）、ドレンパン（23）及びベルマウス（24）が配設されている。
【００３０】
前記本体ケーシング（18）の内面には、断熱材（17）が積層されている。また、本体ケーシング（18）は、その開口側が室内側に向く状態で、天井裏の天井面から吊り支持されている。
【００３１】
前記室内ファン（21）は、いわゆるターボファンである。室内ファン（21）は、本体ユニット（10）の本体ケーシング（18）の中央付近に配置され、化粧パネル（11）の吸込口（13）の上側に位置している。室内ファン（21）は、ファンモータ（21a）と羽根車（21b）とを備えている。ファンモータ（21a）は、本体ケーシング（18）の天板に固定されている。羽根車（21b）は、ファンモータ（21a）の回転軸に連結されている。
【００３２】
前記室内ファン（21）の下側には、吸込口（13）に連通するようにベルマウス（24）が設けられている。このベルマウス（24）は、室内ユニット（3）内において、室内熱交換器（22）の上流側の空間を、室内ファン（21）側と吸込グリル（12）側とに区画している。
【００３３】
また、前記ベルマウス（24）及びドレンパン（23）によって構成される本体仕切板には、直方体状の本体ケーシング（18）の４隅のうち１つの隅部に対応する位置に、開口（図示省略）が形成されている。この開口が、後述する導入用ダクト（86）の導入口（86d）を構成する（図９参照）。
【００３４】
前記室内熱交換器（22）は、平面視でロ字状に形成され、本体ケーシング（18）内に室内ファン（21）を囲むように配置されている。この室内熱交換器（22）では、室内ファン（21）によって送られる室内空気（吹出空気）と室内熱交換器（22）の伝熱管を流通する冷媒との間で熱交換が行われる。
【００３５】
前記ドレンパン（23）は、室内熱交換器（22）の下側に設けられている。このドレンパン（23）は、室内熱交換器（22）において空気中の水分が凝縮して生じるドレン水を受けるためのものである。
【００３６】
前記掃除ユニット（100）は、平面視で略矩形状のケーシング（101）内に、エアフィルタ（30）、塵埃除去機構（50）、塵埃搬送機構（80）、塵埃捕集箱（90）等が配設されたものである。掃除ユニット（100）は、室内ファン（21）の吸込側に位置するエアフィルタ（30）に付着した塵埃を塵埃除去機構（50）によって除去するとともに、除去した塵埃を塵埃搬送機構（80）によって塵埃捕集箱（90）内に搬送するように構成されている。エアフィルタ（30）から除去された塵埃は、最終的に、塵埃捕集箱（90）内に貯留される。
【００３７】
前記ケーシング（101）は、平面視において、本体ユニット（10）の本体ケーシング（18）と同じ大きさに形成されている。ケーシング（101）は、本体ケーシング（18）との間にシール部材（102）を挟んだ状態で、本体ケーシング（18）の室内側に配置されている。また、ケーシング（101）の室内側には、シール部材（103）を挟んで化粧パネル（11）が取り付けられている。
【００３８】
また、前記ケーシング（101）には、各辺に沿うように４つの空気通路（101a）が形成されている。各空気通路（101a）は、本体ケーシング（18）内における室内熱交換器（22）の外側の空間に連通している。各空気通路（101a）には、室内熱交換器（22）を通過した空気が流れる。空気通路（101a）を流れた空気は、化粧パネル（11）の吹出口（14）を通って室内空間へ供給される。なお、ケーシング（101）において空気通路（101a）の内側を形成する部分は、シール部材（104）を介してドレンパン（23）を下方から支持している。
【００３９】
前記化粧パネル（11）は、図３に示すように、平面視で矩形の板状に形成されている。化粧パネル（11）は、その平面視形状が、本体ケーシング（18）やケーシング（101）の平面視形状よりも一回り大きくなっている。上述のとおり、化粧パネル（11）は、シール部材（103）を間に挟んだ状態で、ケーシング（101）の下側を覆うように取り付けられている。化粧パネル（11）は、室内空間に露出している。
【００４０】
また、前記化粧パネル（11）には、１つの吸込口（13）と４つの吹出口（14）とが形成されている。吸込口（13）は、化粧パネル（11）の中央部に略矩形状に形成されている。吸込口（13）には、スリット部（12a）を有する吸込グリル（12）が取り付けられている。
【００４１】
一方、前記吹出口（14）は、細長い矩形状に形成されている。各吹出口（14）は、掃除ユニット（100）の空気通路（101a）に対応して、化粧パネル（11）の各辺に沿うように設けられている。また、各吹出口（14）には、風向調整板（15）が設けられている。この風向調整板（15）は、回動して風向（吹出方向）を調整するように構成されている。
【００４２】
前記吸込グリル（12）には、掃除機のノズルを挿入するためのノズル挿入部（110）が設けられている。このノズル挿入部（110）は、掃除ユニット（100）の塵埃捕集箱（90）内に貯留された塵埃を掃除機によって回収できるように、掃除機のノズルを挿入可能に構成されている。
【００４３】
〈掃除ユニットの構成〉
次に、前記掃除ユニット（100）内の構成を図４〜図１０に基づいて詳しく説明する。掃除ユニット（100）は、室内ファン（21）の吸込側に位置するエアフィルタ（30）を清掃するためのユニットである。掃除ユニット（100）は、平面視で略矩形状のケーシング（101）内に、エアフィルタ（30）、塵埃除去機構（50）、塵埃搬送機構（80）及び塵埃捕集箱（90）等が配置されてなる。
【００４４】
また、前記掃除ユニット（100）には、ベルマウス（24）の下方を覆うように仕切板（25）が設けられている。この仕切板（25）は、例えば図２に示すように、ベルマウス（24）と吸込グリル（12）との間の空間を上下に仕切っている。つまり、仕切板（25）は、室内ファン（21）の上流側空間を、ベルマウス（24）を含む室内ファン（21）側と吸込グリル（12）側とに区画している。
【００４５】
前記仕切板（25）の中央には、図５に示すように、吸込口（13）から吸い込まれた空気をベルマウス（24）へ流入させるための通気孔（26）が形成されている。エアフィルタ（30）は、この通気孔（26）を下方から覆うように配置されている。すなわち、仕切板（25）は、ケーシング（101）の側壁内面と、エアフィルタ（30）との間を塞ぐように設けられている。その結果、吸込口（13）から吸い込まれた空気がエアフィルタ（30）を必ず通過する。したがって、仕切板（25）の上流側の空気中に含まれる塵埃が、エアフィルタ（30）に捕捉されることなく仕切板（25）の下流側に流れ込むことを防止することができる。
【００４６】
前記通気孔（26）は、径方向に延びる４つの径方向梁部（27）によって、扇形に仕切られている。各径方向梁部（27）は、互いに通気孔（26）の円中心で繋がっており、その部分に円筒状のフィルタ回転軸（28）が下方に突出して形成されている。このフィルタ回転軸（28）は、エアフィルタ（30）が回転する際の回転軸となる。また、径方向梁部（27）のうちの１つには、エアフィルタ（30）を上から押さえ付けるためのフィルタ押さえ（29）が２つ設けられている。
【００４７】
前記エアフィルタ（30）は、円板状に形成され、通気孔（26）の下側から仕切板（25）に取り付けられている。エアフィルタ（30）の外径は、ベルマウス（24）及び通気孔（26）の外径よりも大きくなっている。
【００４８】
具体的に、前記エアフィルタ（30）は、環状のフィルタ本体（31）とメッシュ部材（37）とを備えている。このフィルタ本体（31）の外周面には、ギア部（32）が設けられている。一方、フィルタ本体（31）の中心部には、径方向に放射状に延びる６つの径方向リブ（34）によって支持される円筒状の軸挿通部（33）が設けられている。つまり、各径方向リブ（34）は、軸挿通部（33）から放射状に延びてフィルタ本体（31）に接続している。また、フィルタ本体（31）の内側には、フィルタ本体（31）と同心に配置された環状の内側周方向リブ（35）及び外側周方向リブ（36）が設けられている。外側周方向リブ（36）は、内側周方向リブ（35）よりも大径に形成されている。
【００４９】
前記メッシュ部材（37）は、フィルタ本体（31）の内側全体に張られている。吸込口（13）から吸い込まれた空気は、エアフィルタ（30）のメッシュ部材（37）を通過してベルマウス（24）へ流入する。その際、空気中の塵埃がメッシュ部材（37）に捕捉される。
【００５０】
また、前記エアフィルタ（30）は、各周方向リブ（35,36）の上面に当接するフィルタ押さえ（29）によって下方へ付勢される。これにより、エアフィルタ（30）が後述する回転ブラシ（51）に押さえ付けられる。したがって、塵埃除去機構（50）による塵埃の除去効率の向上を図ることができる。
【００５１】
図５に示すように、前記エアフィルタ（30）は、軸挿通部（33）がフィルタ回転軸（28）に対して回転可能に嵌め込まれる。エアフィルタ（30）の下方には、塵埃除去機構（50）の塵埃貯留容器（60）が配置されており、エアフィルタ（30）がフィルタ回転軸（28）に嵌め込まれた状態で、塵埃貯留容器（60）のフィルタ取付部（68）とフィルタ回転軸（28）とが止めネジ（28a）によって固定されている。これにより、仕切板（25）と塵埃貯留容器（60）との間にエアフィルタ（30）が挟み込まれた状態で保持される。
【００５２】
前記エアフィルタ（30）の近傍には、図４に示すように、エアフィルタ（30）を回転駆動するためのフィルタ駆動モータ（40）が設けられている。このフィルタ駆動モータ（40）の駆動軸には、駆動ギア（図示省略）が設けられ、エアフィルタ（30）のギア部（32）と噛み合っている。そして、フィルタ駆動モータ（40）の回転をリミットスイッチ（図示省略）が検出することで、フィルタ駆動モータ（40）の回転数に応じて塵埃除去機構（50）を動作させる時期を検出したり、フィルタ駆動モータ（40）が回転していない場合の異常検知を行うことが可能となる。
【００５３】
次に、前記塵埃除去機構（50）、貯留量検出機構（70）、塵埃搬送機構（80）及び塵埃捕集箱（90）について説明する。
【００５４】
前記塵埃除去機構（50）は、エアフィルタ（30）に捕捉された塵埃を除去するためのものである。この塵埃除去機構（50）は、図６及び図８に示すように、回転ブラシ（51）と、清掃用ブラシ（52）と、ブラシ駆動機構（53）と、除去した塵埃を一時的に貯留するための塵埃貯留容器（60）とを備えている。回転ブラシ（51）及び清掃用ブラシ（52）は、塵埃貯留容器（60）の開口部（63）に配置されている。
【００５５】
前記回転ブラシ（51）は、エアフィルタ（30）に付着した塵埃を除去するためのものであり、回転自在に設けられた円筒状のシャフト（51a）と、シャフト（51a）の外周面に形成されたブラシ部（51b）とを備えている。ブラシ部（51b）は、シャフト（51a）の外周面のうち周方向の一部の領域だけに設けられている。この領域では、ブラシ部（51b）が、シャフト（51a）の軸方向に亘って設けられている。
【００５６】
前記ブラシ部（51b）は、ベース基材上にブラシ毛を植毛することにより構成されている。具体的に、ブラシ部（51b）は、いわゆるパイル織物で構成されている。このパイル織物は、基布に毛（パイル糸）が織り込まれて成る有毛繊維であり、毛足が比較的短い。また、このパイル織物は、毛並みが一定方向に傾斜する傾斜パイルである。このブラシ部（51b）の毛並みは、図８において、ベース基材から時計回り（後述する付着防止用突条部（51d）側）に傾斜している。
【００５７】
なお、前記エアフィルタ（30）の塵埃を除去する際には、図８に示す矢印の向きにエアフィルタ（30）を回転させる。このようにエアフィルタ（30）を回転させている間は、ブラシ部（51b）の毛並みが、エアフィルタ（30）の接触部分の移動方向に対向している。従って、メッシュ部材（37）に付着する塵埃を効率良く掻き出すことができる。
【００５８】
前記シャフト（51a）の外周面には、軸方向に亘って延びる位置決め用突条部（51c）及び付着防止用突条部（51d）が形成されている。これらの突条部（51c,51d）によって、ブラシ部（51b）のシャフト（51a）上での周方向の位置を決定することができる。
【００５９】
前記位置決め用突条部（51c）は、回転ブラシ（51）のブラシ部（51b）の周方向（回転方向）両端部のうち、ブラシ部（51b）でエアフィルタ（30）の塵埃を除去している状態（図８に示す状態）で、清掃用ブラシ（52）とは反対側の端部の位置決めをするように設けられている。この位置決め用突条部（51c）は、断面略矩形状に形成されているとともに、ブラシ部（51b）のベースとなる基布（図中の太線部分）の位置決めが可能な程度の高さに形成されている。
【００６０】
前記付着防止用突条部（51d）は、回転ブラシ（51）のブラシ部（51b）のシャフト周方向（回転方向）両端部のうち、ブラシ部（51b）によってエアフィルタ（30）の塵埃を除去している状態（図８に示す状態）で、清掃用ブラシ（52）に近い側の端部（清掃用ブラシ（52）側の端部）の位置決めをするように設けられている。付着防止用突条部（51d）は、ブラシ部（51b）の端部を覆うように設けられている。
【００６１】
前記清掃用ブラシ（52）は、ブラシ部（51b）に接触してブラシ部（51b）に付着した塵埃を除去するものであり、回転ブラシ（51）の軸方向に沿って設けられている。清掃用ブラシ（52）は、回転ブラシ（51）の一側に、ブラシ部（51b）の全長に亘って接触可能に設けられている。清掃用ブラシ（52）は、板状部材（52a）と、板状部材（52a）の表面上に配設された植毛部（52b）と、板状部材（52a）を塵埃貯留容器（60）に対して弾性支持するバネ部材（52c）とを備えている。
【００６２】
前記板状部材（52a）は、回転ブラシ（51）のシャフト（51a）と同じ長さに形成されている。板状部材（52a）は、その前面が回転ブラシ（51）の外周面に対して、所定の間隔を隔てて対向している。板状部材（52a）の上部は、回転ブラシ（51）のシャフト（51a）の外周面に沿うように円弧状に形成されている。板状部材（52a）の円弧状の上部には、板状部材（52a）の長さ方向に亘って、植毛部（52b）が貼り付けられている。
【００６３】
前記清掃用ブラシ（52）の植毛部（52b）は、回転ブラシ（51）のブラシ部（51b）と同様に、パイル織物（傾斜パイル）で構成されている。この植毛部（52b）の毛並みは、図８において、板状部材（52a）から斜め下側に傾斜している。このため、回転ブラシ（51）が図８において反時計回りに回転する際に、植毛部（52b）の毛並みが回転ブラシ（51）の回転方向に対向するので、回転ブラシ（51）のブラシ部（51b）に付着している塵埃が清掃用ブラシ（52）の植毛部（52b）により除去される。
【００６４】
なお、前記回転ブラシ（51）のブラシ部（51b）及び清掃用ブラシ（52）の植毛部（52b）は、互いに接触した状態（図１３（ｄ）の状態）で、下方（塵埃貯留容器（60）の内方）に向かって毛が延びるように構成されている。これにより、回転ブラシ（51）及び清掃用ブラシ（52）に付着した塵埃を塵埃貯留容器（60）内に効率良く集めることができる。
【００６５】
また、前記板状部材（52a）の下部には、回転ブラシ（51）に向かって突出する突条部（52d）が設けられている。突条部（52d）は、植毛部（52b）の下側に設けられている。この突条部（52d）は、断面視で略三角形状に形成されている。突条部（52d）は、回転ブラシ（51）の付着防止用突条部（51d）が通過する際に付着防止用突条部（51d）の突出端が描く軌跡の近傍まで突出している。つまり、突条部（52d）の突出高さは、付着防止用突条部（51d）が最も近接した状態で、付着防止用突条部（51d）との間に微小な隙間ができるように設定されている。
【００６６】
前記バネ部材（52c）は、板バネによって構成されている。バネ部材（52c）の一方の端部は板状部材（52a）の下端に接続され、バネ部材（52c）の他方の端部は塵埃貯留容器（60）の第２側面部（61c）の内壁面に接続されている。板状部材（52a）は、その下端部がバネ部材（52c）によって支持されている。
【００６７】
図４に示すように、前記回転ブラシ（51）及び清掃用ブラシ（52）は、それぞれ、円形状のエアフィルタ（30）の半径と同等以上の長さになるように形成されている。回転ブラシ（51）及び清掃用ブラシ（52）は、エアフィルタ（30）の円中心から径方向外方へ延びている。すなわち、塵埃除去機構（50）は、エアフィルタ（30）の径方向に延びるように配置されている。
【００６８】
前記ブラシ駆動機構（53）は、図６及び図７に示すように、ブラシ駆動モータ（54）と、互いに噛み合う駆動ギア（55）及び従動ギア（56）とを備えている。駆動ギア（55）はブラシ駆動モータ（54）の駆動軸に設けられ、従動ギア（56）は回転ブラシ（51）のシャフト（51a）の端部に設けられている。ブラシ駆動機構（53）では、ブラシ駆動モータ（54）の動力が駆動ギア（55）及び従動ギア（56）を介して回転ブラシ（51）に伝達され、回転ブラシ（51）が回転駆動される。
【００６９】
前記ブラシ駆動機構（53）は、回転ブラシ（51）のブラシ部（51b）を清掃するためのブラシ清掃動作を行う。ブラシ清掃動作では、まず、ブラシ駆動機構（53）が、回転ブラシ（51）を図８において時計回りに所定の回転角度だけ回転させた後に、回転ブラシ（51）を図８において反時計回りに回転させる。回転ブラシ（51）のブラシ部（51b）に付着した塵埃は、回転ブラシ（51）が図８において反時計回りに回転する際に、清掃用ブラシ（52）の植毛部（52b）に付着する。続いて、ブラシ駆動機構（53）は、再び回転ブラシ（51）を図８において時計回りに回転させる。その際、清掃用ブラシ（52）の植毛部（52b）に付着した塵埃が、回転ブラシ（51）のブラシ部（51b）によって掻き取られ、塵埃貯留容器（60）の貯留部（62）に落下する。ブラシ清掃動作では、ブラシ駆動モータ（54）の回転方向を変更することで、回転ブラシ（51）が回転軸回りの両方向に回転駆動される。なお、ブラシ清掃動作についての詳細は後述する。
【００７０】
ところで、「ブラシ清掃動作」の際には、塵埃が回転ブラシ（51）のブラシ部（51b）の端部（回転ブラシ（51）が図８において時計回りに回転する場合の進行方向の端部）に付着する場合がある。「ブラシ清掃動作」が複数回行われると、この端部に塵埃が帯状に連なる。そして、付着防止用突条部（51d）によって、ブラシ部（51b）の端部に付着する塵埃が、図１３（ｄ）に示すように、塵埃が回転ブラシ（51）の表面から離間するように延びていく。したがって、付着防止用突条部（51d）によって、塵埃がシャフト（51a）に絡み付いたり、回転ブラシ（51）から塵埃が除去しにくくなることを防止することができる。
【００７１】
前記塵埃貯留容器（60）は、回転ブラシ（51）によってエアフィルタ（30）から除去された塵埃が一時的に貯留される容器である。塵埃貯留容器（60）には、清掃用ブラシ（52）によって回転ブラシ（51）から除去された塵埃が貯留される。塵埃貯留容器（60）は、図６に示すように、全体として柱状に形成されている。塵埃貯留容器（60）は、その長手方向が水平となる状態で設けられている。また、塵埃貯留容器（60）の収容空間（59）には、回転ブラシ（51）が収容される。塵埃貯留容器（60）の上面には、回転ブラシ（51）のブラシ部（51b）を塵埃貯留容器（60）の外側へ露出させる開口部（63）が形成されている。
【００７２】
具体的に、図８に示すように、塵埃貯留容器（60）をその長手方向に直交する断面（横断面）で見た場合に、塵埃貯留容器（60）の上側部分は、塵埃を除去するための回転ブラシ（51）を収容する除去部（61）を構成し、塵埃貯留容器（60）の下側部分は、塵埃を貯めるための貯留部（62）を構成している。貯留部（62）は、回転ブラシ（51）の鉛直方向に対して斜め下方位置に配置されている。具体的に、貯留部（62）が、除去部（61）の下端から側方（図８において左側）へ円弧状に膨出して、貯留空間（58）と収容空間（59）とが連通している。
【００７３】
前記除去部（61）は、下端が開放された略直方体の箱状に形成されている。除去部（61）は、塵埃貯留容器（60）の長手方向に延びている。除去部（61）内の空間は、回転ブラシ（51）を収容する収容空間（59）を構成している。さらに、図６及び図８に示すように、上面部（61a）と、上面部（61a）の短手方向（幅方向）の両端から下方へそれぞれ延びる第１側面部（61b）及び第２側面部（61c）と、上面部（61a）の長手方向の両端から下方へそれぞれ延びる第１端面部（61d）及び第２端面部（61e）とを備えている。
【００７４】
前記除去部（61）では、貯留部（62）が膨出する側（図８において左側）の側面部が第１側面部（61b）を構成し、回転ブラシ（51）を挟んで第１側面部（61b）の反対側に位置する側面部が第２側面部（61c）を構成している。第１側面部（61b）の高さは、第２側面部（61c）よりも高くなっている。
【００７５】
前記上面部（61a）には、上述の開口部（63）が形成されている。開口部（63）は長方形状に形成されている。開口部（63）は、除去部（61）の長手方向に延びている。開口部（63）には、回転ブラシ（51）が配置されている。シャフト（51a）の軸方向は、開口部（63）の長手方向と一致している。回転ブラシ（51）は、植毛部（52b）が開口部（63）の外側へ露出可能に設けられている。シャフト（51a）の両端は、除去部（61）の第１端面部（61d）及び第２端面部（61e）にそれぞれ支持されている。
【００７６】
前記除去部（61）には、回転ブラシ（51）に加えて、上述の清掃用ブラシ（52）も収容されている。清掃用ブラシ（52）は、収容空間（59）における、回転ブラシ（51）を挟んで貯留空間（58）とは反対側に配置されている。より具体的には、シャフト（51a）の外周面と第２側面部（61c）の内壁面との間に配置されている。清掃用ブラシ（52）をこのように配置することで、回転ブラシ（51）によりエアフィルタ（30）から除去した塵埃が、ブラシ清掃動作中に帯状に連なった場合でも、この帯状の塵埃を貯留空間（58）側へ確実に導くことができる。
【００７７】
具体的に、清掃用ブラシ（52）を貯留空間（58）に近い側（シャフト（51a）の外周面と第１側面部（61b）の内壁面との間）に配置した場合には、回転ブラシ（51）が回転軸の周りの両方向に回転駆動される間に、帯状の塵埃が回転ブラシ（51）側へ曲がった形状となる。このため、帯状の塵埃は、収容空間（59）の内面に到達したときに、貯留空間（58）とは反対側の空間へ導かれてしまう。そして、帯状の塵埃が回転ブラシ（51）から外れた場合、そのまま貯留空間（58）とは反対側の空間に残ってしまうおそれがある。
【００７８】
これに対し、本発明では、回転ブラシ（51）を挟んで貯留空間（58）とは反対側に清掃用ブラシ（52）を配置するようにしたから、帯状の塵埃が回転ブラシ（51）側へ曲がった形状となって収容空間（59）の内面に到達したときには、帯状の塵埃の先端部が貯留空間（58）側に向くようになる。これにより、帯状の塵埃が回転ブラシ（51）から外れたときに、塵埃を確実に貯留空間（58）側へ導くことができ、塵埃が収容空間（59）内に残ってしまうことを防止できる。
【００７９】
前記清掃用ブラシ（52）の板状部材（52a）の上端部は、開口部（63）に位置している。清掃用ブラシ（52）において回転ブラシ（51）側を前側とした場合に、開口部（63）は、板状部材（52a）の上端部の前後への動きを許容する。
【００８０】
前記貯留部（62）は、図８に示すように、断面視において、略Ｃ字状の膨出部（62a）と、板状の斜面部（62b）とを備えている。膨出部（62a）の上側の端部は、第１側面部（61b）の下端に接続されている。塵埃貯留容器（60）の片側の外側面は、第１側面部（61b）と膨出部（62a）との境界を折れ点として、膨出部（62a）が外側へ円弧状に膨出している。一方、膨出部（62a）の下側の端部は、回転ブラシ（51）の下方に位置する斜面部（62b）の下端に接続している。斜面部（62b）の上端は、第２側面部（61c）の下端に接続している。塵埃貯留容器（60）のもう片側の外側面は、第２側面部（61c）と斜面部（62b）との境界を折れ点として、「く」の字状に屈曲している。
【００８１】
前記塵埃貯留容器（60）では、回転ブラシ（51）から除去された塵埃が、斜面部（62b）上に落下して、斜面部（62b）の傾斜により膨出部（62a）へ導かれる。塵埃貯留容器（60）では、回転ブラシ（51）から除去された塵埃の多くが膨出部（62a）に貯まる。膨出部（62a）内の空間は、塵埃が貯まる貯留空間（58）を構成している。
【００８２】
また、図６に示すように、斜面部（62b）の長さは、除去部（61）の長手方向の長さと等しくなっている。膨出部（62a）の長さは、除去部（61）の長手方向の長さよりも長くなっている。膨出部（62a）は、その長手方向に両端にそれぞれ第１端部（66）及び第２端部（67）が開口している。膨出部（62a）の第１端部（66）には、後述するダンパボックス（81）が接続され、第２端部（67）には、後述する搬送用ダクト（88）が接続されている。
【００８３】
前記塵埃貯留容器（60）内には、図８に示すように、第１シール部材（45）と第２シール部材（46）とが設けられている。第１シール部材（45）及び第２シール部材（46）は、ともに、塵埃貯留容器（60）内において貯留空間（58）と開口部（63）との間を仕切るように、塵埃貯留容器（60）の内面に取り付けられている。第１シール部材（45）及び第２シール部材（46）は、ともに、除去部（61）の第１端面部（61d）の内壁面から第２端面部（61e）の内壁面まで延びている。つまり、第１シール部材（45）及び第２シール部材（46）は、塵埃貯留容器（60）の長手方向に亘って、貯留空間（58）と開口部（63）とを仕切っている。これにより、塵埃貯留容器（60）内の塵埃が開口部（63）から流出することを防止している。
【００８４】
前記第１シール部材（45）は、第１側面部（61b）の内壁面と回転ブラシ（51）の外周面との間の隙間を塞ぐための部材である。図８に示すように、第１シール部材（45）は、第１側面部（61b）の内壁面に設けられている。この第１シール部材（45）は、塵埃貯留容器（60）のうち、回転ブラシ（51）を挟んで清掃用ブラシ（52）とは反対側の内壁面に設けられている。第１シール部材（45）は、塵埃貯留容器（60）の内壁面から回転ブラシ（51）の外周面へ向かって延びている。
【００８５】
前記第２シール部材（46）は、第２側面部（61c）の内壁面と清掃用ブラシ（52）との間の隙間を塞ぐための部材である。ここで、開口部（63）の縁部と清掃用ブラシ（52）の板状部材（52a）の上端部の背面との間には、図８に示すように、隙間（57）が形成されている。本実施形態では、この隙間（57）を通って塵埃が塵埃貯留容器（60）の外側へ流出することを防止するために、第２シール部材（46）が設けられている。
【００８６】
また、前記除去部（61）の第１端面部（61d）の外面の上端には、上述したフィルタ取付部（68）が設けられている。このフィルタ取付部（68）は、貯留部（62）側とは反対側に開口するように、平面視で略Ｕ字状に突出形成されている。
【００８７】
また、図８に示すように、前記塵埃貯留容器（60）には、貯留部（62）に貯留された塵埃量を検出するための貯留量検出機構（70）が設けられている。この貯留量検出機構（70）は、センサボックス（71）内に収納された発光ＬＥＤ（72）及びフォトトランジスタ（73）を備えている。センサボックス（71）は、塵埃貯留容器（60）の貯留部（62）の第２端部（67）寄りに、貯留部（62）の横断方向に延び且つその底部を覆うように設けられている。発光ＬＥＤ（72）及びフォトトランジスタ（73）は、センサボックス（71）内に、貯留部（62）をその横断方向に挟んで対向配置されている。一方、貯留部（62）の壁面には、発光ＬＥＤ（72）及びフォトトランジスタ（73）にそれぞれ対応して、第１透明窓（64）及び第２透明窓（65）が設けられている。
【００８８】
以上の構成により、前記貯留量検出機構（70）において、発光ＬＥＤ（72）で生じた光は、第１透明窓（64）及び第２透明窓（65）を順に透過した後、フォトトランジスタ（73）によって光度が検出される。このフォトトランジスタ（73）によって検出された光度に応じて、貯留部（62）における塵埃の貯留量（すなわち、充填度）を検出することができる。
【００８９】
すなわち、塵埃の貯留量が少ないと、貯留部（62）において第１透明窓（64）から第２透明窓（65）への光の透過率が高くなり、フォトトランジスタ（73）によって検出される光度が高くなる。逆に、塵埃の貯留量が多いと、貯留部（62）において第１透明窓（64）から第２透明窓（65）への光の透過率が低くなり、フォトトランジスタ（73）によって検出される光度が低くなる。
【００９０】
したがって、前記貯留量検出機構（70）によれば、例えば、光度が所定値以下になると、貯留部（62）の貯留量が多いと判断することができる。これにより、後述する塵埃搬送機構（80）によって貯留部（62）内の塵埃を搬送する塵埃搬送動作を行った後でも、貯留量検出機構（70）によって貯留部（62）内の塵埃の貯留量が多いと検出された場合には、塵埃の搬送先である塵埃捕集箱（90）内が満杯であると判断することが可能になる。
【００９１】
前記塵埃搬送機構（80）は、上述したダンパボックス（81）及び搬送用ダクト（88）と、導入用ダクト（86）と、吸引用ダクト（87）とを備えている。
【００９２】
前記ダンパボックス（81）は、直方体状に形成されていて、その長手方向の一端側が貯留部（62）の第１端部（66）に接続されている。図９及び図１０に示すように、ダンパボックス（81）内には、開閉部材であるダンパ（82）が設けられている。このダンパ（82）が閉まると、ダンパボックス（81）の内部空間がその長手方向に仕切られる。つまり、ダンパボックス（81）の内部空間は、ダンパ（82）によって、他端側の第１室（81a）と一端側である塵埃貯留容器（60）側の第２室（81b）とに区画される。ダンパボックス（81）の一端側に区画形成される第２室（81b）には、上述したように、貯留部（62）の第１端部（66）が接続されていて、第２室（81b）と貯留部（62）とが連通している。
【００９３】
図７や図１０に示すように、前記塵埃搬送機構（80）は、ダンパ（82）を開閉駆動するためのダンパ駆動モータ（83）と駆動ギア（84）と従動ギア（85）とを備えている。この駆動ギア（84）はダンパ駆動モータ（83）の駆動軸に接続されていて、従動ギア（85）は、ダンパ（82）の回動軸に接続されている。そして、これらの駆動ギア（84）及び従動ギア（85）は、互いに噛み合うように配置されている。この構成により、ダンパ駆動モータ（83）の動力は、各ギア（84,85）を介してダンパ（82）の回動軸に伝達される。これにより、ダンパ駆動モータ（83）の回転によってダンパ（82）が回動軸を中心に回動する、開閉動作が行われる。
【００９４】
図９に示すように、前記導入用ダクト（86）は、その一端側がダンパボックス（81）の上面に接続されていて、ダンパボックス（81）内の第１室（81a）に連通している。一方、導入用ダクト（86）の他端側は、ダンパボックス（81）から鉛直上方に延びて、掃除ユニット（100）と本体ユニット（10）との間に設けられた仕切板（25）を貫通し、本体ユニット（10）のドレンパン（23）の延出部に接続されている。導入用ダクト（86）は、円形状の横断面を有する上流側ダクト（86a）及び下流側ダクト（86b）を備えていて、これらの２つの部材（86a,86b）が止めネジ（86c）によって上下方向に連結されている。
【００９５】
前記上流側ダクト（86a）は、その横断面積（流路面積）が下流側ダクト（86b）の横断面積（流路面積）よりも大きくなるように形成されている。この下流側ダクト（86b）の下端（図９における下側）は、ダンパボックス（81）の上面に接続されている。一方、上流側ダクト（86a）の上端（図９における上側）は、ドレンパン（23）の水平に延びる延出部にシール部材（86e）を介して当接している。このドレンパン（23）の延出部には、貫通孔である導入口（86d）が形成されている。そして、この導入口（86d）を通じて、上流側ダクト（86a）が室内ファン（21）側の空間と連通している。つまり、この導入用ダクト（86）は、室内ファン（21）の吹出空気をダンパボックス（81）内へ導入するように構成されている。
【００９６】
また、前記導入用ダクト（86）は、上流側ダクト（86a）と下流側ダクト（86b）との連結部分が仕切板（25）の貫通部に位置している。具体的には、上流側ダクト（86a）の底板と下流側ダクト（86b）の上端フランジとで仕切板（25）の貫通孔周縁を挟み込むように、両ダクト（86a,86b）が連結されている。この構成により、導入用ダクト（86）が脱落しないように仕切板（25）の貫通孔周縁を挟み込みつつ、導入用ダクト（86）の上端をベルマウス（24）に接続させることが可能になる。
【００９７】
さらに、上述のように、前記上流側ダクト（86a）の底板と下流側ダクト（86b）の上端フランジとで仕切板（25）の貫通孔周縁を挟み込むような構成にすることで、上流側ダクト（86a）と下流側ダクト（86b）との連結部分が仕切板（25）に対して回動可能になる。しかも、本実施形態では、上流側ダクト（86a）とシール部材（86e）との当接部分も回動可能に構成されているため、導入用ダクト（86）、ダンパボックス（81）及び塵埃除去機構（50）は、導入用ダクト（86）の軸心（導入口）を中心にして一体で回動することができる。
【００９８】
前記吸引用ダクト（87）は、図６や図７に示すように、流入側である一端がダンパボックス（81）の下面に接続されている。吸引用ダクト（87）は、ダンパボックス（81）内の第２室（81b）に連通している。一方、吸引用ダクト（87）の流出側である他端は、化粧パネル（11）に形成されたノズル挿入部（110）に接続されている。このノズル挿入部（110）は、特に図示しないが、掃除機のノズルを挿入して吸引するための開口を有している。
【００９９】
前記搬送用ダクト（88）は、図２及び図４に示すように、一端が塵埃貯留容器（60）における貯留部（62）の第２端部（67）に接続され、他端が塵埃捕集箱（90）に接続されている。つまり、搬送用ダクト（88）は、塵埃貯留容器（60）と塵埃捕集箱（90）とを連通している。なお、搬送用ダクト（88）は、フレキシブルチューブによって構成されている。
【０１００】
上述のような構成を有する塵埃搬送機構（80）において、冷暖房を行う通常運転の場合、ダンパボックス（81）のダンパ（82）は閉じられている（図１０（ａ）参照）。これにより、室内ファン（21）の吹出空気はダンパボックス（81）の第２室（81b）へ導入されない。一方、塵埃貯留容器（60）内の塵埃を塵埃捕集箱（90）に搬送する場合には、ダンパボックス（81）のダンパ（82）が開く（図１０（ｂ）参照）。これにより、室内ファン（21）の吹出空気が導入用ダクト（86）及びダンパボックス（81）を介して塵埃貯留容器（60）内へ導入される。その結果、塵埃貯留容器（60）内の塵埃は、導入された空気とともに搬送用ダクト（88）を流れて塵埃捕集箱（90）内へ搬送される。つまり、ダンパボックス（81）内のダンパ（82）を開くことにより、室内ファン（21）の吹出空気を利用して、塵埃貯留容器（60）の塵埃を塵埃捕集箱（90）へ搬送することができる。
【０１０１】
さらに、前記塵埃搬送機構（80）では、塵埃捕集箱（90）内に捕集された塵埃をケーシング（101）外へ排出する場合も、ダンパボックス（81）のダンパ（82）は閉じられている（図１０（ｃ）参照）。この場合には、掃除機によってノズル挿入部（110）から吸引することで、塵埃捕集箱（90）内の塵埃が搬送用ダクト（88）、ダンパボックス（81）及び吸引用ダクト（87）を通じて掃除機に吸引される。
【０１０２】
前記塵埃捕集箱（90）は、塵埃貯留容器（60）から搬送された塵埃を貯留するためのものである。この塵埃捕集箱（90）は、図４に示すように、やや細長い略直方体状に形成され、塵埃貯留容器（60）と同様に、仕切板（25）の下方に配置されている。そして、塵埃捕集箱（90）は、平面視でエアフィルタ（30）と重ならないように、エアフィルタ（30）の側方で且つ仕切板（25）の一端辺に沿って配置されている。また、塵埃捕集箱（90）は、エアフィルタ（30）との干渉を確実に防止するために、エアフィルタ（30）側の側板が、エアフィルタ（30）の外周に対応して円弧状に形成されている。
【０１０３】
また、前記塵埃捕集箱（90）は、一方の端部（一側部）の側面に、流入口（94）が形成されている。この流入口（94）には、搬送用ダクト（88）の他端側が接続されている。一方、塵埃捕集箱（90）の他方の端部（他側部）には、掃除ユニット（100）のケーシング（101）内に開口する排気口（91）が設けられている。すなわち、塵埃捕集箱（90）は、搬送用ダクト（88）が接続される側とは反対側の端部に、排気口（91）が設けられていて、その内部を長手方向に空気が流れやすい構成になっている。なお、塵埃捕集箱（90）は、排気口（91）側の部分が他の部分よりも断面積が小さくなっている。
【０１０４】
また、前記塵埃捕集箱（90）内には、排気口（91）寄りにフィルタ（92）が設けられている。このフィルタ（92）を設けることで、塵埃貯留容器（60）から塵埃捕集箱（90）内に塵埃を搬送する際に、空気は排気口（91）から排出される一方、搬送された塵埃はフィルタ（92）に捕捉されて排気口（91）から流出することはない。また、掃除機による吸引によって塵埃捕集箱（90）から塵埃が排出される場合には、室内空気が排気口（91）を通じて塵埃捕集箱（90）内に流入するが、流入した空気中の塵埃はフィルタ（92）によって捕捉される。このように、排気口（91）による給排気によって塵埃捕集箱（90）内の圧力バランスが適切になるので、塵埃捕集箱（90）に対する塵埃の搬送動作及び排出動作が適切に行われる。
【０１０５】
−運転動作−
次に、前記室内ユニット（3）における運転動作について説明する。室内ユニット（3）は、冷暖房を行う通常運転と、エアフィルタ（30）の清掃を行うフィルタ清掃運転とが切換可能に構成されている。
【０１０６】
〈通常運転〉
通常運転では、ダンパボックス（81）のダンパ（82）を閉じた状態にする（図１０（ａ）の状態）。エアフィルタ（30）は、回転しない停止状態に設定される。
【０１０７】
この状態において、室内ファン（21）が駆動される。そうすると、室内ユニット（3）では、吸込口（13）から吸い込まれた室内空気がエアフィルタ（30）を通過してベルマウス（24）内へ流入する。空気がエアフィルタ（30）を通過する際、空気中の塵埃がエアフィルタ（30）のメッシュ部材（37）に捕捉される。ベルマウス（24）に流入した空気は室内ファン（21）から吹き出される。この吹出空気は、室内熱交換器（22）の冷媒と熱交換して冷却又は加熱された後、各吹出口（14）から室内へ供給される。これにより、室内の冷房又は暖房が行われる。この運転では、図１０（ａ）に示すように、ダンパボックス（81）のダンパ（82）が閉じられているため、室内ファン（21）の吹出空気がダンパボックス（81）を通じて塵埃貯留容器（60）へ導入されることはない。
【０１０８】
〈フィルタ清掃運転〉
フィルタ清掃運転では、図１に示す冷媒回路において圧縮機（4）が停止されて冷媒が循環しない状態となる。このフィルタ清掃運転では、「塵埃除去動作」と「ブラシ清掃動作」と「塵埃搬送動作」と「塵埃排出動作」とが切換可能に構成されている。
【０１０９】
「塵埃除去動作」は、エアフィルタ（30）に捕捉された塵埃を除去する動作である。「ブラシ清掃動作」は、回転ブラシ（51）に捕捉された塵埃を除去する動作である。「塵埃搬送動作」は、塵埃貯留容器（60）から塵埃捕集箱（90）に塵埃を搬送する動作である。「塵埃排出動作」は、塵埃捕集箱（90）から室内ユニット（3）外へ塵埃を排出する動作である。本実施形態では、「塵埃除去動作」と「ブラシ清掃動作」とが交互に行われる。
【０１１０】
−塵埃除去動作−
まず「塵埃除去動作」では、室内ファン（21）が弱風を吹き出すように運転される。そして、回転ブラシ（51）のブラシ部（51b）をエアフィルタ（30）に接触させた状態で、エアフィルタ（30）を、回転ブラシ（51）のブラシ部（51b）の毛を逆立てるように回転移動させる（図１１（ｂ）及び図１２（ａ）の白抜き矢印方向）。なお、このとき、回転ブラシ（51）は停止状態である。
【０１１１】
そうすると、前記エアフィルタ（30）の塵埃が回転ブラシ（51）のブラシ部（51b）に捕捉される（図１２（ｂ））。ここで、例えば図１２（ａ）に示すように、回転ブラシ（51）のブラシ部（51b）の毛並みは、エアフィルタ（30）の回転方向とは反対方向に傾斜しているため、エアフィルタ（30）の塵埃がブラシ部（51b）によって容易に掻き取られる。そして、リミットスイッチが作動すると、フィルタ駆動モータ（40）が停止してエアフィルタ（30）の回転が停止する。つまり、エアフィルタ（30）は所定角度だけ回転して停止する。したがって、エアフィルタ（30）において回転ブラシ（51）のブラシ部（51b）と接触した領域の塵埃が除去される。
【０１１２】
−ブラシ清掃動作−
前記エアフィルタ（30）の回転が停止すると、「塵埃除去動作」から「ブラシ清掃動作」に切り換わる。
【０１１３】
ところで、エアフィルタ（30）の回転停止後では、図１２（ｂ）に示すように、塵埃が回転ブラシ（51）のブラシ部（51b）の左側（すなわち、エアフィルタ（30）の回転方向前方側）に偏在している。これは、ブラシ部（51b）によって掻き取られた塵埃がエアフィルタ（30）の移動に伴って引きずられるからである。したがって、このままでは、塵埃の固まりが大きくなり、最終的に室内等へ落下してしまうおそれがある。
【０１１４】
そこで、「ブラシ清掃動作」では、まず、図１１（ｃ）に示すように、エアフィルタ（30）がフィルタ駆動モータ（40）によって反時計回りに所望の角度だけ戻すように回転される。つまり、図１３（ａ）にも示すように、エアフィルタ（30）は、「塵埃除去動作」時とは逆方向、すなわち回転ブラシ（51）のブラシ部（51b）の毛の延びる方向と略同じ方向に回転する。本実施形態では、エアフィルタ（30）を、回転ブラシ（51）のブラシ部（51b）の幅に相当する角度だけ移動するように回転させる。
【０１１５】
そうすると、図１３（ａ）に示すように、回転ブラシ（51）のブラシ部（51b）の片側に偏っていた塵埃がエアフィルタ（30）によってブラシ部（51b）の広い範囲に広げられてならされる。つまり、塵埃がブラシ部（51b）の広い範囲により均一に付着する。これにより、塵埃がブラシ部（51b）により確実に付着するため、塵埃の固まりが室内等へ落下するのをより確実に防止することができる。
【０１１６】
続いて、「ブラシ清掃動作」では、エアフィルタ（30）が停止した状態で、回転ブラシ（51）が図１３において右回り（時計回り）に回転する。その際、回転ブラシ（51）は、ブラシ部（51b）に塵埃を捕捉したまま、ブラシ部（51b）が清掃用ブラシ（52）の植毛部（52b）と接触するように回転する（図１３（ｂ））。回転ブラシ（51）は、所定の回転角度だけ回転した後、停止する。
【０１１７】
その後、前記回転ブラシ（51）は、上述の回転方向とは逆回り（図１３において左回り（反時計回り））に回転する。そうすると、回転ブラシ（51）のブラシ部（51b）に捕捉されていた塵埃は、清掃用ブラシ（52）の植毛部（52b）に捕捉される（図１３（ｃ））。これは、清掃用ブラシ（52）の植毛部（52b）の毛が下向き、すなわち回転ブラシ（51）の反時計回りの回転によって逆立つように傾斜して植毛されているため、清掃用ブラシ（52）によって回転ブラシ（51）のブラシ部（51b）に付着した塵埃が掻き取られるからである。
【０１１８】
前記回転ブラシ（51）のブラシ部（51b）及び清掃用ブラシ（52）の植毛部（52b）同士が接触することによって、清掃用ブラシ（52）の板状部材（52a）が回転ブラシ（51）と離間する方向へ押されるが、板状部材（52a）はバネ部材（52c）によって回転ブラシ（51）側へ付勢されているため、ブラシ部（51b,52b）同士が離隔することはなく、清掃用ブラシ（52）が適切に回転ブラシ（51）に押し付けられる。したがって、回転ブラシ（51）のブラシ部（51b）から塵埃をより確実に除去して、清掃用ブラシ（52）の植毛部（52b）に塵埃を捕捉することができる。なお、回転ブラシ（51）は、元の状態（図１３（ａ）の状態）の位置まで回転して停止する。
【０１１９】
続いて、前記回転ブラシ（51）は、再び右回り（時計回り）に所定の回転角度だけ回転する。そうすると、清掃用ブラシ（52）の植毛部（52b）に捕捉されていた塵埃が回転ブラシ（51）のブラシ部（51b）によって掻き取られる（図１３（ｄ））。すなわち、回転ブラシ（51）のブラシ部（51b）の毛が下側に向かって回転方向に沿うように傾斜しているため、清掃用ブラシ（52）の植毛部（52b）から塵埃を掻き取ることができる。その際も、清掃用ブラシ（52）は、バネ部材（52c）によって回転ブラシ（51）側に適切に押し付けられるため、清掃用ブラシ（52）から塵埃をより確実に除去することができる。
【０１２０】
以上により、回転ブラシ（51）に捕捉された塵埃は除去され、塵埃貯留容器（60）の貯留部（62）に貯留される。その後、回転ブラシ（51）は再び左回り（反時計回り）に回転して元の状態（図９（ａ））に戻り、「ブラシ清掃動作」が一旦終了する。
【０１２１】
なお、「ブラシ清掃動作」では、シャフト（51a）の外周面の全周囲に沿う領域の一部のブラシ通過領域だけをブラシ部（51b）が往復するように、回転ブラシ（51）が回転駆動される。つまり、ブラシ部（51b）は、回転ブラシ（51）の回転軸周りの一部の領域であるブラシ通過領域だけを通過する。シャフト（51a）の外周面の全周囲に沿う領域では、ブラシ通過領域と、ブラシ部（51b）が通過せずに、シャフト（51a）の外周面が露出する部分だけが通過する露出領域とが形成される。
【０１２２】
上述のような「ブラシ清掃動作」が終了すると、再び上述した「塵埃除去動作」が行われる。つまり、再びエアフィルタ（30）が回転され、リミットスイッチが再び作動するとエアフィルタ（30）が停止する。これにより、エアフィルタ（30）において回転ブラシ（51）のブラシ部（51b）を通過した領域の塵埃が回転ブラシ（51）のブラシ部（51b）に捕捉される。このように、「塵埃除去動作」と「ブラシ清掃動作」とを交互に繰り返すことにより、エアフィルタ（30）の所定領域毎に塵埃が除去されていく。そして、エアフィルタ（30）の全領域において塵埃が除去されると、「塵埃除去動作」及び「ブラシ清掃動作」が完全に終了する。例えば、リミットスイッチが所定回数作動すると、エアフィルタ（30）が１回転したと判断して動作が終了する。
【０１２３】
−塵埃搬送動作−
上述した「塵埃除去動作」及び「ブラシ清掃動作」時には、貯留量検出機構（70）によって塵埃貯留容器（60）における塵埃貯留量が検出される。つまり、発光ＬＥＤ（72）による光の光度がフォトトランジスタ（73）によって検出される。そして、フォトトランジスタ（73）の検出光度が設定値（下限値）以下になると、塵埃貯留容器（60）における塵埃量が所定量に達したとして、「塵埃搬送動作」に切り換えられる。
【０１２４】
「塵埃搬送動作」では、回転ブラシ（51）が図８の状態で停止されるとともに、エアフィルタ（30）が停止状態になる。また、ダンパボックス（81）のダンパ（82）が開状態（図１０（ｂ）の状態）になる。この状態において、室内ファン（21）が駆動されることにより、室内ファン（21）の吹出空気は、導入用ダクト（86）及びダンパボックス（81）を介して塵埃貯留容器（60）内へ導入される。これにより、塵埃貯留容器（60）の塵埃が空気とともに搬送用ダクト（88）を介して塵埃捕集箱（90）内へ搬送される。そうすると、塵埃貯留容器（60）において塵埃の貯留量が減少し、フォトトランジスタ（73）の検出光度が高くなる。そして、その検出光度が設定値（上限値）以上になると、塵埃貯留容器（60）における塵埃がほとんど排出されたとして、「塵埃搬送動作」が終了する。その後、「塵埃除去動作」又は「ブラシ清掃動作」が再開される。
【０１２５】
−塵埃排出動作−
本実施形態のフィルタ清掃運転では、所定条件によって「塵埃排出動作」が行われる。すなわち、「塵埃搬送動作」でダンパ（82）を開いた後に、発光ＬＥＤ（72）を点灯させて、その光度を検出し、光度が所定値よりも低ければ、塵埃貯留容器（60）内の塵埃が室内ファン（21）の吹出空気によって搬送されていない、すなわち、塵埃貯留容器（60）から塵埃捕集箱（90）までの搬送路で塵埃が詰まっているか、若しくは塵埃捕集箱（90）内に多量の塵埃が捕集されていると判断して、ユーザーにその旨を報知し、リモコン操作等に応じて、以下のような「塵埃排出動作」を行う。
【０１２６】
「塵埃排出動作」では、上述した「塵埃搬送動作」と同様に、回転ブラシ（51）が図８の状態で停止されるとともに、エアフィルタ（30）が停止状態になる。また、ダンパボックス（81）のダンパ（82）が閉状態（図１０（ｃ）の状態）になる。
【０１２７】
上述の状態において、ユーザーによって掃除機のノズルを化粧パネル（11）のノズル挿入部（110）に挿入した状態で、吸引動作を行う。この吸引動作により、塵埃捕集箱（90）内の塵埃が搬送用ダクト（88）、塵埃貯留容器（60）、ダンパボックス（81）、吸引用ダクト（87）及びノズル挿入部（110）を介して掃除機へ吸い込まれる。その際、塵埃貯留容器（60）内に残っていた塵埃も吸引用ダクト（87）を介して掃除機へ吸い込まれる。その結果、塵埃捕集箱（90）及び塵埃貯留容器（60）の塵埃が室内ユニット（3）外へ排出される。
【０１２８】
−実施形態の効果−
本発明によれば、回転ブラシ（51）を挟んで貯留空間（58）とは反対側に清掃用ブラシ（52）を配置するようにしたから、帯状の塵埃が回転ブラシ（51）側へ曲がった形状となって収容空間（59）の内面に到達したときには、帯状の塵埃の先端部が貯留空間（58）側に向くようになる。これにより、帯状の塵埃が回転ブラシ（51）から外れたときに、塵埃を確実に貯留空間（58）側へ導くことができ、塵埃が収容空間（59）内に残ってしまうことを防止できる。
【０１２９】
《その他の実施形態》
前記実施形態は、以下のように構成してもよい。
【０１３０】
前記実施形態では、エアフィルタ（30）から除去した塵埃を塵埃捕集箱（90）に捕集するようにしているが、この限りではなく、塵埃を捕集できるような構成であれば、例えば袋状のもの等、どのような構成であってもよい。
【０１３１】
また、前記実施形態では、塵埃捕集箱（90）を掃除ユニット（100）内に設けているが、この限りではなく、室内ユニット（3）とは別に設けるようにしてもよい。
【０１３２】
また、前記実施形態では、塵埃貯留容器（60）から塵埃捕集箱（90）に塵埃を搬送する手段として、室内ファン（21）の吹出空気を利用するようにしているが、この限りではなく、塵埃を搬送できる構成であれば、どのような構成であってもよいし、専用のファンを設けてもよい。
【０１３３】
また、前記実施形態では、エアフィルタ（30）は、円形状に形成されているが、この限りではなく、例えば矩形状に形成されていてもよい。この場合には、エアフィルタ（30）及び回転ブラシ（51）は直線的に相対移動する。
【産業上の利用可能性】
【０１３４】
以上説明したように、本発明は、エアフィルタに付着した塵埃を除去する機能を有する空気調和装置の室内ユニットについて有用である。
【符号の説明】
【０１３５】
1    空気調和装置
3    室内ユニット
21    室内ファン
30    エアフィルタ
51    回転ブラシ
51b   ブラシ部
52    清掃用ブラシ
58    貯留空間
59    収容空間
60    塵埃貯留容器
【図１】
2011043293.tif 000003
【図２】
2011043293.tif 000004
【図３】
2011043293.tif 000005
【図４】
2011043293.tif 000006
【図５】
2011043293.tif 000007
【図６】
2011043293.tif 000008
【図７】
2011043293.tif 000009
【図８】
2011043293.tif 000010
【図９】
2011043293.tif 000011
【図１０】
2011043293.tif 000012
【図１１】
2011043293.tif 000013
【図１２】
2011043293.tif 000014
【図１３】
2011043293.tif 000015